(57)【要約】【課題】床衝撃音の遮断性能が良好となると共に、床材の設置作業の負担を軽減することの可能な床支持具、床構造、及び、床設置方法を提供する。【解決手段】質量体４０には、凹部４２の中央部から質量体４０の上面４０Ａ側にかけて、支持孔４２Ａが構成されている。そして、支持孔４２Ａから径方向外側に向かって、質量体４０の中央部から外周までを連通させるスリット部４３が構成されている。スリット部４３は、支持ボルト２２を質量体４０の側方から支持孔４２Ａへ案内可能な幅とされている。【選択図】図４
2009174161.tif 000002
【特許請求の範囲】
【請求項１】
床スラブ上に支持され、弾性変形可能であって振動を減衰させる第１弾性部材と、
前記第１弾性部材上に支持され、前記床スラブと反対方向へ延びる支持部材と、
前記支持部材上に支持され、前記床スラブとの間に間隔をもって配置される床材と、
前記第１弾性部材、及び、前記支持部材の少なくとも一方に支持され、弾性変形可能とされた第２弾性部材と、
前記第２弾性部材に支持され、前記支持部材が挿通される挿通部が構成されると共に前記床材を前記支持部材が支持した状態で側方から前記挿通部へ前記支持部材を案内する案内空間が構成され、前記第２弾性部材の弾性変形によって変位して振動を減衰させる質量体と、
少なくとも一部が前記第２弾性部材に取り付けられると共に前記挿通部に配置され、前記第２弾性部材を前記支持部材又は前記第１弾性部材へ取り付ける取付部材と、
を備えた床支持具。
【請求項２】
前記取付部材は、前記挿通部に沿って前記支持部材の外周を囲むように配置された外周部、及び、前記支持部材に螺合され前記外周部を前記第１弾性部材へ圧接する固定ナット、を含んで構成されていること、を特徴とする請求項１に記載の床支持具。
【請求項３】
前記質量体は円柱状とされ、前記挿通部は前記質量体の中心軸に沿って構成されていること、を特徴とする請求項１または請求項２に記載の床支持具。
【請求項４】
床スラブと、
前記床スラブ上に配置された請求項１〜３のいずれか１項に記載の床支持具と、
を備えた床構造。
【請求項５】
床スラブ上に支持され弾性変形可能であって振動を減衰させる第１弾性部材と、前記第１弾性部材上に支持され前記床スラブと反対方向へ延びる支持部材と、を有する支持具本体を床スラブ上に配置すると共に、前記床スラブとの間に間隔をもって前記支持部材上に前記床材を敷設し、
前記第１弾性部材又は前記支持部材に支持され弾性変形可能とされた第２弾性部材と、前記第２弾性部材に支持され前記支持部材が挿通される挿通部が構成されると共に前記床材を前記支持部材が支持した状態で側方から前記挿通部へ前記支持部材を案内する案内空間が構成され、前記第２弾性部材の弾性変形によって変位して振動を減衰させる質量体と、を有する質量部材の、前記挿通部へ前記支持部材を配置し、
前記第２弾性部材を前記支持部材へ取り付ける、
床設置方法。
【発明の詳細な説明】
【技術分野】
【０００１】
本発明は、二重床の床材を支持する床支持具、この床支持具を用いた床構造、及び、床設置方法に関する。
【背景技術】
【０００２】
床構造においては、床衝撃音の遮断性能を向上させるために、支持部材を介して床基盤上から所定の高さに床を設ける二重床構造とする場合がある。このような二重床構造では、例えば、特許文献１に記載のように、弾性体と質量体を用いて床からの振動を減衰させる技術が開示されている。
【０００３】
特許文献１に記載の床構造によれば、床からの振動を効果的に減衰させることができるが、ベースパネルを設置する際に、床支持具に質量体を取り付けた状態で設置する必要があるため、重量が重くなり作業が行い難い。
【特許文献１】特開２００７−０４００９３号公報
【発明の開示】
【発明が解決しようとする課題】
【０００４】
本発明は、上記事実を考慮してなされたものであり、床衝撃音の遮断性能が良好となると共に、床材の設置作業の負担を軽減することの可能な床支持具、床構造、及び、床設置方法を提供することを課題とする。
【課題を解決するための手段】
【０００５】
請求項１に記載する本発明の床支持具は、床スラブ上に支持され、弾性変形可能であって振動を減衰させる第１弾性部材と、前記第１弾性部材上に支持され、前記床スラブと反対方向へ延びる支持部材と、前記支持部材上に支持され、前記床スラブとの間に間隔をもって配置される床材と、前記第１弾性部材、及び、前記支持部材の少なくとも一方に支持され、弾性変形可能とされた第２弾性部材と、前記第２弾性部材に支持され、前記支持部材が挿通される挿通部が構成されると共に前記床材を前記支持部材が支持した状態で側方から前記挿通部へ前記支持部材を案内する案内空間が構成され、前記第２弾性部材の弾性変形によって変位して振動を減衰させる質量体と、少なくとも一部が前記第２弾性部材に取り付けられると共に前記挿通部に配置され、前記第２弾性部材を前記支持部材又は前記第１弾性部材へ取り付ける取付部材と、を備えている。
【０００６】
請求項１に記載する床支持具によれば、床材に振動が加わった場合、この振動は、第２弾性部材へ伝わる。これによって、第２弾性部材が弾性変形して質量体が振動を吸収するように上下動することで、床材から床スラブへの振動を減衰する。減衰された振動は、さらに第１弾性部材によって減衰されて床スラブへ伝わるので、床衝撃音が良好に遮断される。
【０００７】
また、質量体には、支持部材が挿通される挿通部及び案内空間が構成されている。案内空間は、床材を支持部材が支持した状態で質量体の側方から支持部材を挿通部へ案内する。したがって、支持部材で床材を支持した後に質量体を設置することができるので、質量体なしの状態で床材の敷設を行うことができる。
【０００８】
請求項２に記載する床支持具は、前記取付部材は、前記挿通部に沿って前記支持部材の外周を囲むように配置された外周部、及び、前記支持部材に螺合され前記外周部を前記第１弾性部材へ圧接する固定ナット、を含んで構成されていること、を特徴とする。
【０００９】
このように、外周部及び固定ナットを用いて、第２弾性部材を支持部材に取り付けることができる。
【００１０】
請求項３に記載する床支持具は、前記質量体は円柱状とされ、前記挿通部は前記質量体の中心軸に沿って構成されていること、を特徴とする。
【００１１】
上記構成によれば、質量体をバランス良く支持することができると共に、質量体による干渉範囲を狭くすることができる。
【００１２】
請求項４に記載する床構造は、床スラブと、前記床スラブ上に配置された請求項１〜３のいずれか１項に記載の床支持具と、を備えている。
【００１３】
本発明の床構造によれば、支持部材で床材を支持した後に質量体を設置することができるので、質量体なしの状態で床材の敷設を行うことができる。
【００１４】
請求項５に記載する床設置方法は、床スラブ上に支持され弾性変形可能であって振動を減衰させる第１弾性部材と、前記第１弾性部材上に支持され前記床スラブと反対方向へ延びる支持部材と、を有する支持具本体を床スラブ上に配置すると共に、前記床スラブとの間に間隔をもって前記支持部材上に前記床材を敷設し、前記第１弾性部材又は前記支持部材に支持され弾性変形可能とされた第２弾性部材と、前記第２弾性部材に支持され前記支持部材が挿通される挿通部が構成されると共に前記床材を前記支持部材が支持した状態で側方から前記挿通部へ前記支持部材を案内する案内空間が構成され、前記第２弾性部材の弾性変形によって変位して振動を減衰させる質量体と、を有する質量部材の、前記挿通部へ前記支持部材を配置し、前記第２弾性部材を前記支持部材へ取り付けるものである。
【００１５】
このように、質量体を含んで構成される質量部材を、床材の敷設後に支持部材へ取り付けることにより、床材の敷設時における重量を軽くすることができ、床材の敷設作業を容易に行うことができる。
【発明の効果】
【００１６】
以上説明したように、本発明の床支持具、床構造、及び、床設置方法によれば、床衝撃音の遮断性能が良好となると共に、床材の設置作業の負担を軽減することができる。
【発明を実施するための最良の形態】
【００１７】
［第１実施形態］
【００１８】
本発明における床支持具、及び、この床支持具が適用される床構造の実施形態を図面に基づき説明する。なお、図中の矢印ＵＰは床構造における上方向を示す。
【００１９】
図１に示される床構造１０は、主に集合住宅に用いられる二重床（乾式遮音二重床）の構造であり、上階で発せられて階下に伝播する床衝撃音（歩行音、物の落下音、子供の飛び跳ね等）を低減させるための構造である。
【００２０】
（床構造及び床支持具の構成）
【００２１】
図１に示されるように、床構造１０は、躯体床となるコンクリート製の床スラブ１２と上床材１４との間に、所定の間隔で複数本並べられた床支持具１６を介在させており、床支持具１６の介在によって床スラブ１２と上床材１４との間に空間を形成して遮音効果を得る状態としている。
【００２２】
なお、本実施形態の上床材１４は、下地パネル１４Ａを備えると共に、下地パネル１４Ａ上に捨張材１４Ｂを設け、その上にさらに仕上げ材１４Ｃを設けた積層構造となっている。ここで、仕上げ材１４Ｃを除いた上床材１４（下地パネル１４Ａ及び捨張材１４Ｂ）、及び、床支持具１６が床下地材である。
なお、捨張材１４Ｂは、必ずしも必要ではなく、捨張材１４Ｂを除いた構成とすることもできる。
【００２３】
図２には、下地パネル１４Ａと、床支持具１６の配置図が示されている。下地パネル１４Ａは、各々、所定間隔の隙間（以下「目地Ｍという」）が構成されるように敷設されている。目地Ｍは、下地パネル１４Ａ同士の接触による軋み音などを防止するために、１０ｍｍ〜２０ｍｍ程度の間隔とされている。床支持具１６は、目地Ｍを跨ぐようにして配置されている。
【００２４】
図３及び図４に示されるように、床支持具１６は、第１弾性部材としてのクッションゴム１８、支持部材としての支持ボルト２２、第２弾性部材としてのクッション台座２６、及び質量体４０を備えている。
【００２５】
クッションゴム１８は、床スラブ１２上に配置されている。クッションゴム１８は、円筒状とされており、上床材１４からの振動を減衰させるために、床スラブ１２上に支持されるものであり、弾性変形可能とされる。
【００２６】
クッションゴム１８上には、中間受け部としての中間受け部材２０を介して支持ボルト２２が直立状態で支持されている。中間受け部材２０は、円筒状とされて中間部にフランジ部２０Ａを備え、円筒部の一方側がクッションゴム１８の筒内側に挿入されると共にフランジ部２０Ａの下面（クッションゴム１８側へ向けられた面）がクッションゴム１８の上面（床スラブ１２側の面と反対側の面）に固着されている。中間受け部材２０の円筒部内周面には、雌ネジ部２０Ｂが形成され、この雌ネジ部２０Ｂには、支持ボルト２２の軸部に形成された雄ネジ部２２Ａが螺合される。これにより、中間受け部材２０が支持ボルト２２に一体化される。
【００２７】
下地パネル１４Ａの下側には、下地パネル１４Ａを支持するように、所定間隔で目地Ｍを跨いで支持パネル１５が配置されている。支持パネル１５は正方形板状とされ、中央部に調整孔１５Ａが構成されている。この調整孔１５Ａに支持ボルト２２の上端部が配置される。
【００２８】
支持ボルト２２は、クッションゴム１８と反対側、すなわち、床スラブ１２と反対方向へ延びて、パネル受け部材２４及び支持パネル１５を介して上床材１４を支持するようになっている。パネル受け部材２４は、円筒状とされて一方開口部から外側へ向けて突き出した鍔部２４Ａを備える。パネル受け部材２４の円筒部２４Ｂは、支持パネル１５の調整孔１５Ａ内に挿入されて固着され、鍔部２４Ａの上面（上床材１４側へ向けられた面）が支持パネル１５の下面（床スラブ１２と対向する側の面）に固着される。パネル受け部材２４の円筒部内周面には、雌ネジ部２４Ｃが形成され、この雌ネジ部２４Ｃには、支持ボルト２２の軸部に形成された雄ネジ部２２Ｂが螺合される。これらにより、上床材１４は、床スラブ１２との間に間隔をもって配置される。
【００２９】
支持ボルト２２の先端部には、マイナスドライバを差し込むための凹部（図示省略）が形成されており、上床材１４の下地パネル１４Ａに捨張材１４Ｂ、仕上げ材１４Ｃが敷設される前の状態において、マイナスドライバを支持ボルト２２の凹部（図示省略）に差し込んで支持ボルト２２を回転させることによって、床スラブ１２からの下地パネル１４Ａの高さを調節することができるようになっている。
【００３０】
中間受け部材２０のフランジ部２０Ａの上面である受け面２０Ｃには、取付金具４４が配置されている。取付金具４４は、外周部４４Ａ及びフランジ部４４Ｂで構成されている。外周部４４Ａは、断面がＵ字状とされ、Ｕ字の内側に支持ボルト２２が密着されるようにして支持ボルト２２に沿って配置されている。フランジ部４４Ｂは環状とされ、外周部４４Ａの下端部で径方向外側に延出され、フランジ部４４Ｂが受け面２０Ｃに密着されている。
【００３１】
支持ボルト２２の上側には、ナット４６及び座金４７が取り付けられている。支持ボルト２２に螺合されたナット４６を外周部４４Ａの上側から締めて、中間受け部材２０のフランジ部２０Ａと座金４７との間に取付金具４４を挟み込むことにより、取付金具４４は支持ボルト２２に固定される。
【００３２】
取付金具４４のフランジ部４４Ｂの上面である受け面４４Ｃには、クッション台座２６が接着されている。すなわち、クッション台座２６の下面が受け面４４Ｃに固着されている。クッション台座２６と取付金具４４との接着は、加硫接着によって行うことができる。クッション台座２６は、図５に示すように、一部が切り欠かれた円筒状とされている。クッション台座２６には、円筒の側部から中央軸に向かって切欠部２６Ａが構成されている。切欠部２６Ａには、取付金具４４及び支持ボルト２２が配置される。クッション台座２６は、上床材１４からの振動を減衰させるために、取付金具４４及び中間受け部材２０を介して支持ボルト２２に支持されるものであり、軟質ゴムで構成されて弾性変形可能とされる。
【００３３】
図３に示すように、クッション台座２６上面には、質量体４０が接着されている。質量体４０は、円柱形状とされ（図４参照）、設置状態での下面４０Ａの中央部に凹部４２が構成されている（図３参照）。凹部４２は、質量体４０の中心軸と同軸の円柱状として構成されている。凹部４２の径Ｄ１は、クッション台座２６及びクッションゴム１８よりも大径とされており、深さＤ２は、クッション台座２６の突出部２６Ｃを除いた高さよりも長く構成されている。クッション台座２６は、質量体４０の凹部４２の天面と接着されており、質量体４０によって、クッション台座２６には、圧縮方向の荷重が作用している。
【００３４】
質量体４０には、凹部４２の中央部から質量体４０の上面４０Ａ側にかけて、支持孔４２Ａが構成されている。そして、支持孔４２Ａから径方向外側に向かって、質量体４０の中央部から外周までを連通させるスリット部４３が構成されている。スリット部４３は、支持ボルト２２を質量体４０の側方から支持孔４２Ａへ案内可能な幅とされている。
【００３５】
上記の設置状態において、クッション台座２６は、凹部４２内に収納されており、質量体４０の下面４０Ａは、凹部４２がクッションゴム１８の側面の一部を覆う位置に配置されている。これにより、クッション台座２６は質量体４０に覆われ、床下に生息する小動物により損傷を受けることを防止することができる。
【００３６】
質量体４０は、クッション台座２６の弾性変形によって変位して上床材１４からの振動を減衰させるようになっており、クッション台座２６及び質量体４０は、上床材１４から床スラブ１２への振動に対して動吸振器として機能する。
【００３７】
（第１実施形態の施工手順）
【００３８】
次に、床構造１０を構成する際の施工手順について説明する。
【００３９】
まず、一体化されたクッションゴム１８、中間受け部材２０、及び、クッション台座２６を用意する。次に、座金４７及びナット４６の係合された支持ボルト２２を中間受け部材２０の上方に配置し、支持ボルト２２の雄ネジ部２２Ａを中間受け部材２０の雌ネジ部２０Ｂに螺合させて取り付け、直立させる。
【００４０】
次に、パネル受け部材２４の円筒部２４Ｂを、支持パネル１５の調整孔１５Ａへ圧入し、鍔部２４Ａ上に支持パネル１５を配置して、パネル受け部材２４に支持パネル１５を固着する。
【００４１】
次に、支持ボルト２２の雄ネジ部２２Ｂにパネル受け部材２４の雌ネジ部２４Ｃを螺合させる。そして、下地パネル１４Ａの下側に支持パネル１５を固定する。この状態で、下地パネル１４Ａを床スラブ１２上に設置する（図６（Ａ）参照）。
【００４２】
次に、一体化された質量体４０、クッション台座２６、及び取付金具４４を、支持ボルト２２へ取り付ける。ここでの取り付けは、質量体４０のスリット部４３の外側から支持ボルト２２へ挿入し、取付金具４４を支持ボルト２２に密着させる（図６（Ｂ）参照）。そして、ナット４６を締めて座金４７で取付金具４４を支持ボルト２２に固定する（図４参照）。
【００４３】
次に、下地パネル１４Ａ間の目地Ｍ及び支持孔１５Ａからマイナスドライバを挿入し、支持ボルト２２の凹部（図示省略）に差し込んで支持ボルト２２を回転させることによって、床スラブ１２からの下地パネル１４Ａの高さを調節する。
【００４４】
次に、下地パネル１４Ａ上に捨張材１４Ｂが敷設され、捨張材１４Ｂ上に仕上げ材１４Ｃが敷設される。このようにして、二重床の床構造１０が構成される。
【００４５】
（作用）
【００４６】
次に、上記の実施形態の作用を説明する。
【００４７】
上階で発せられた床衝撃音（例えば、歩行音等）の振動は、上床材１４から、支持パネル１５、パネル受け部材２４、支持ボルト２２、及び、中間受け部材２０を介してクッション台座２６へ伝わる。これによって、クッション台座２６が弾性変形し、質量体４０が振動を吸収するように上下動することで、振動を減衰する。
【００４８】
ここで、クッション台座２６及び質量体４０は、支持ボルト２２を囲んで配置されているため、支持ボルト２２に沿って弾性変形し、支持ボルト２２に沿って移動することになるので、動吸振の作用が安定する。
【００４９】
本実施形態によれば、質量体４０を下地パネル１４Ａの敷設後に取り付けることができるので、下地パネル１４Ａの敷設作業の負担を軽減することができる。
【００５０】
また、クッション台座２６に質量体４０が固定されているので、例えば、振動によって質量体４０がクッション台座２６から浮く等のような無駄な移動を抑えられ、また、質量体４０の移動を振動周期に追従させ易くなるので、動吸振効果を高めることができる。
【００５１】
また、質量体４０が円柱形状とされているので、同一質量で他の形状の質量体を用いた場合と比較して、水平方向の干渉範囲を狭くすることができる。
【００５２】
また、質量体４０の下面に凹部４２が構成され、凹部４２にクッション台座２６が収納されているので、クッション台座２６の高さ分、床支持具１６の高さを低くすることができると共に、クッション台座２６を小動物から保護することができる。
【００５３】
［第２実施形態］
【００５４】
次に、本発明の第２実施形態について説明する。本実施形態では、第１実施形態と同様の部分については同一の符号を付して、その詳細な説明は省略する。
【００５５】
本実施形態の二重床６０では、床支持具の質量体、クッション台座、及び、取付金具、以外の部材については第１実施形態と同様である。また、捨張材１４Ｂについては、第１実施形態に記載したように、必ずしも必要ではなく、捨張材１４Ｂを除いた構成とすることもできる。
【００５６】
本実施形態の二重床６０は、床支持具６２を備えている。床支持具６２の質量体５０は、図７及び図８に示すように、スリット部５１の構成された円筒形状とされている。スリット部５１は、円筒中央部から径方向外側へ向かって外周まで連通させている。質量体５０の円筒内部には、第２弾性部材５２が配置されている。図９に示すように、第２弾性部材５２は、一部が切り欠かれた円筒状とされている。第２弾性部材５２には、円筒の側部から中央軸に向かって切欠部５２Ａが構成されている。第２弾性部材５２は、外周面が質量体５０の内周面５０Ａに接着されている。第２弾性部材５２の切欠部５２Ａには、取付金具５４及び支持ボルト２２が配置される。
【００５７】
取付金具５４は、断面がＵ字状とされ、Ｕ字の内側に支持ボルト２２が密着されるようにして支持ボルト２２に沿って配置されている。
【００５８】
（第２実施形態の施工手順）
【００５９】
次に、二重床６０を構成する際の施工手順について説明する。質量体５０を取り付けない状態で、下地パネル１４Ａを設置する手順までは、第１実施形態と同様にして行う（図１０（Ａ）参照）。
【００６０】
次に、一体化された質量体５０、第２弾性部材５２、及び取付金具５４を、支持ボルト２２へ取り付ける。ここでの取り付けは、質量体５０のスリット部５１の外側から支持ボルト２２へ挿入し、取付金具５４を支持ボルト２２に密着させる（図１０（Ｂ）参照）。そして、ナット４６を締めて座金４７で取付金具５４を支持ボルト２２に固定する。
【００６１】
次に、下地パネル１４Ａ間の目地Ｍ及び支持孔１５Ａからマイナスドライバを挿入し、支持ボルト２２の凹部（図示省略）に差し込んで支持ボルト２２を回転させることによって、床スラブ１２からの下地パネル１４Ａの高さを調節する。
【００６２】
次に、下地パネル１４Ａ上に捨張材１４Ｂが敷設され、捨張材１４Ｂ上に仕上げ材１４Ｃが敷設される。このようにして、二重床６０が構成される（図８参照）。
【００６３】
本実施形態によっても、質量体５０を下地パネル１４Ａの敷設後に取り付けることができるので、下地パネル１４Ａの敷設作業の負担を軽減することができる。
【００６４】
また、第２弾性部材５２をせん断方向に弾性変形させることにより振動を吸収するので、同一硬度のゴムを用いた場合に、圧縮方向のみの弾性変形を用いる場合と比較して、バネ定数を小さくすることができる。
【図面の簡単な説明】
【００６５】
【図１】第１実施形態に係る床構造及び床支持具の縦断面を示す断面図である。
【図２】第１実施形態に係る床構造の下地パネルの配置を示す平面図である。
【図３】図１の床支持具を拡大した拡大断面図である。
【図４】第１実施形態に係る床支持具の斜視図である。
【図５】第１本実施形態に係る床支持具の水平方向の断面図である。
【図６】第１実施形態の床支持具の施工手順（Ａ）（Ｂ）を示す図である。
【図７】第２実施形態の床支持具の鉛直方向の断面図である。
【図８】第２実施形態に係る床支持具の斜視図である。
【図９】第２本実施形態に係る床支持具の水平方向の断面図である。
【図１０】第２実施形態の床支持具の施工手順（Ａ）（Ｂ）を示す図である。
【符号の説明】
【００６６】
１０   床構造
１４Ａ 下地パネル
１４   上床材
１６   床支持具
１８   クッションゴム
２２   支持ボルト
２６   クッション台座
２６Ａ 切欠部
２６Ｃ 突出部
４０   質量体
４２   凹部
４３   スリット部
４４   取付金具
４６   ナット
４７   座金
５０   質量体
５１   スリット部
５２Ａ 切欠部
５２   弾性部材
５４   取付金具
６０   二重床
６２   床支持具
【図１】
2009174161.tif 000003
【図２】
2009174161.tif 000004
【図３】
2009174161.tif 000005
【図４】
2009174161.tif 000006
【図５】
2009174161.tif 000007
【図６】
2009174161.tif 000008
【図７】
2009174161.tif 000009
【図８】
2009174161.tif 000010
【図９】
2009174161.tif 000011
【図１０】
2009174161.tif 000012